【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、
時間および周波数リソースの前記第１のｃｏｒｅｓｅｔを介して、離散フーリエ変換シングルキャリア周波数領域多元接続（ＤＦＴ−Ｓ−ＦＤＭＡ）波形として、前記ＵＥに前記ＰＤＣＣＨを送信することと、
前記ＰＤＣＣＨに関連付けられた復調基準信号（ＤＭＲＳ）を送信することと
を備える方法。
【請求項２】
前記システム帯域幅内で、複数のｃｏｒｅｓｅｔを構成すること、ここにおいて、前記第１のｃｏｒｅｓｅｔは、前記複数のｃｏｒｅｓｅｔのうちの１つである、
をさらに備える、請求項１に記載の方法。
【請求項３】
マスタ情報ブロック（ＭＩＢ）または無線リソース制御（ＲＲＣ）構成のうちの少なくとも１つにおいて、前記第１のｃｏｒｅｓｅｔのリソースのインジケーションを送信すること
をさらに備える、請求項１に記載の方法。
【請求項４】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記ＵＥに前記ＰＤＣＣＨを送信することは、前記第１の探索空間において前記ＰＤＣＣＨを送信することを備える、
請求項１に記載の方法。
【請求項５】
前記ＤＭＲＳを送信することは、前記制御領域の第１のシンボル期間内で、前記ＤＭＲＳを送信することを備え、
前記ＰＤＣＣＨを送信することは、前記制御領域の第２のシンボル期間において、前記ＰＤＣＣＨのデータを送信することを備える、
請求項１に記載の方法。
【請求項６】
前記ＰＤＣＣＨの前記データを送信することは、前記ＵＥおよび０個以上の他のＵＥに、少なくとも１つのダウンリンク制御情報（ＤＣＩ）を送信することを備え、
前記少なくとも１つのＤＣＩを送信することは、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて送信することを備え、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項５に記載の方法。
【請求項７】
前記ＤＭＲＳを送信することは、前記第１のｃｏｒｅｓｅｔの帯域幅に及ぶ帯域幅を使用して、前記ＤＭＲＳを送信することを備える、
請求項１に記載の方法。
【請求項８】
ユーザ機器（ＵＥ）によるワイヤレス通信のための方法であって、
基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、
時間および周波数リソースの前記第１のｃｏｒｅｓｅｔを介して、離散フーリエ変換シングルキャリア周波数領域多元接続（ＤＦＴ−Ｓ−ＦＤＭＡ）波形として前記ＰＤＣＣＨを受信することと、
前記ＰＤＣＣＨに関連付けられた復調基準信号（ＤＭＲＳ）を処理すること、ここにおいて、前記ＰＤＣＣＨを受信することは、前記処理されたＤＭＲＳに基づいて前記ＰＤＣＣＨを受信することを備える、
を備える方法。
【請求項９】
前記第１のｃｏｒｅｓｅｔを決定することは、前記システム帯域幅内で構成された複数のｃｏｒｅｓｅｔから前記第１のｃｏｒｅｓｅｔを決定することを備える、請求項８に記載の方法。
【請求項１０】
前記第１のｃｏｒｅｓｅｔの前記リソースを決定することは、マスタ情報ブロック（ＭＩＢ）または無線リソース制御（ＲＲＣ）構成のうちの少なくとも１つに基づく、
請求項８に記載の方法。
【請求項１１】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記ＰＤＣＣＨを受信することは、前記第１の探索空間において前記ＰＤＣＣＨを受信することを備える、
請求項８に記載の方法。
【請求項１２】
前記ＤＭＲＳを処理することは、前記制御領域の第１のシンボル期間内で、前記ＤＭＲＳを受信することを備え、
前記ＰＤＣＣＨを受信することは、前記制御領域の第２のシンボル期間において、前記ＰＤＣＣＨのデータを受信することを備える、
請求項８に記載の方法。
【請求項１３】
前記ＰＤＣＣＨの前記データを受信することは、前記ＵＥへの少なくとも１つのダウンリンク制御情報（ＤＣＩ）を受信することを備え、
前記少なくとも１つのＤＣＩを受信することは、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて受信することを備え、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項１２に記載の方法。
【請求項１４】
前記ＤＭＲＳを処理することは、前記第１のｃｏｒｅｓｅｔの帯域幅に及ぶ帯域幅を使用して、前記ＤＭＲＳを受信することを備える、
請求項８に記載の方法。
【請求項１５】
ワイヤレス通信のための装置であって、
ユーザ機器（ＵＥ）に物理ダウンリンク制御チャネル（ＰＤＣＣＨ）を送信するために、システム帯域幅の制御領域内で、時間および周波数リソースの第１の制御リソースセット（ｃｏｒｅｓｅｔ）を決定することと、
前記装置に、時間および周波数リソースの前記第１のｃｏｒｅｓｅｔを介して、離散フーリエ変換シングルキャリア周波数領域多元接続（ＤＦＴ−Ｓ−ＦＤＭＡ）波形として、前記ＵＥへ前記ＰＤＣＣＨを送信させることと
を行うように構成されたプロセッサと、
前記プロセッサと結合されたメモリと
を備え、
前記プロセッサは、
前記装置に、前記ＰＤＣＣＨに関連付けられた復調基準信号（ＤＭＲＳ）を送信させること
を行うようにさらに構成される、装置。
【請求項１６】
前記プロセッサは、
前記システム帯域幅内で、複数のｃｏｒｅｓｅｔを構成すること、ここにおいて、前記第１のｃｏｒｅｓｅｔは、前記複数のｃｏｒｅｓｅｔのうちの１つである、
を行うようにさらに構成される、請求項１５に記載の装置。
【請求項１７】
前記プロセッサは、
前記装置に、マスタ情報ブロック（ＭＩＢ）または無線リソース制御（ＲＲＣ）構成のうちの少なくとも１つにおいて、前記第１のｃｏｒｅｓｅｔのリソースのインジケーションを送信させること
を行うようにさらに構成される、請求項１５に記載の装置。
【請求項１８】
異なるＵＥの探索空間が、時間および周波数リソースの前記第１のｃｏｒｅｓｅｔを共有し、
前記ＵＥに関連付けられかつ前記第１のｃｏｒｅｓｅｔ内の第１の探索空間が、前記ＵＥの識別子のハッシング関数に基づいて定義され、
前記プロセッサは、前記装置に、前記第１の探索空間において前記ＰＤＣＣＨを送信させることによって、前記装置に、前記ＵＥへ前記ＰＤＣＣＨを送信させるように構成される、
請求項１５に記載の装置。
【請求項１９】
前記プロセッサは、
前記装置に、前記制御領域の第１のシンボル期間内で、前記ＤＭＲＳを送信させることによって、前記装置に、前記ＤＭＲＳを送信させることと、
前記装置に、前記制御領域の第２のシンボル期間において、前記ＰＤＣＣＨのデータを送信させることによって、前記装置に、前記ＰＤＣＣＨを送信させることと
を行うように構成される、請求項１５に記載の装置。
【請求項２０】
前記プロセッサは、前記装置に、前記ＵＥおよび０個以上の他のＵＥへ、少なくとも１つのダウンリンク制御情報（ＤＣＩ）を送信させることによって、前記装置に、前記ＰＤＣＣＨの前記データを送信させるように構成され、
前記プロセッサは、前記装置に、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて送信させることによって、前記装置に、前記少なくとも１つのＤＣＩを送信させるように構成され、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
請求項１９に記載の装置。
【請求項２１】
前記プロセッサは、
前記装置に、前記第１のｃｏｒｅｓｅｔの帯域幅に及ぶ帯域幅を使用して、前記ＤＭＲＳを送信させることによって、前記装置に、前記ＤＭＲＳを送信させること
を行うように構成される、請求項１５に記載の装置。
【請求項２２】
ワイヤレス通信のための装置であって、
基地局（ＢＳ）から物理ダウンリンク制御チャネル（ＰＤＣＣＨ）を受信するために、システム帯域幅の制御領域内で、時間および周波数リソースの第１の制御リソースセット（ｃｏｒｅｓｅｔ）を決定することと、
前記装置に、時間および周波数リソースの前記第１のｃｏｒｅｓｅｔを介して、離散フーリエ変換シングルキャリア周波数領域多元接続（ＤＦＴ−Ｓ−ＦＤＭＡ）波形として前記ＰＤＣＣＨを受信させることと
を行うように構成されたプロセッサと、
前記プロセッサと結合されたメモリと
を備え、
前記プロセッサは、
前記ＰＤＣＣＨに関連付けられた復調基準信号（ＤＭＲＳ）を処理すること、ここにおいて、前記装置に、前記ＰＤＣＣＨを受信させることは、前記装置に、前記処理されたＤＭＲＳに基づいて前記ＰＤＣＣＨを受信させることを備える、
を行うようにさらに構成される、装置。
【請求項２３】
前記プロセッサは、前記システム帯域幅内で構成された複数のｃｏｒｅｓｅｔから前記第１のｃｏｒｅｓｅｔを決定することによって、前記第１のｃｏｒｅｓｅｔを決定するように構成される、請求項２２に記載の装置。
【請求項２４】
前記プロセッサは、前記装置に、マスタ情報ブロック（ＭＩＢ）または無線リソース制御（ＲＲＣ）構成のうちの少なくとも１つを受信させるように構成され、
前記プロセッサは、前記少なくとも１つのＭＩＢまたはＲＲＣ構成に基づいて、前記第１のｃｏｒｅｓｅｔの前記リソースを決定するように構成される、
請求項２２に記載の装置。
【請求項２５】
異なるＵＥの探索空間が、時間および周波数リソースの前記第１のｃｏｒｅｓｅｔを共有し、
前記装置に関連付けられかつ前記第１のｃｏｒｅｓｅｔ内の第１の探索空間が、前記装置の識別子のハッシング関数に基づいて定義され、
前記プロセッサは、前記装置に、前記第１の探索空間において前記ＰＤＣＣＨを受信させることによって、前記装置に、前記ＰＤＣＣＨを受信させるように構成される、
請求項２２に記載の装置。
【請求項２６】
前記プロセッサは、
前記装置に、前記制御領域の第１のシンボル期間内で、前記ＤＭＲＳを受信させることによって、前記ＤＭＲＳを処理することと、
前記装置に、前記制御領域の第２のシンボル期間において、前記ＰＤＣＣＨのデータを受信させることによって、前記装置に、前記ＰＤＣＣＨを受信させることと
を行うように構成される、請求項２２に記載の装置。
【請求項２７】
前記プロセッサは、
前記装置に、前記装置への少なくとも１つのダウンリンク制御情報（ＤＣＩ）を受信させることによって、前記装置に、前記ＰＤＣＣＨの前記データを受信させることと、
前記装置に、１つまたは複数の制御チャネルエレメント（ＣＣＥ）の各ＣＣＥの各リソースエレメントグループ（ＲＥＧ）の各リソースエレメント（ＲＥ）について、前記制御領域の前記第２のシンボル期間の１つの時間領域サンプルにおいて受信させることによって、前記装置に、前記少なくとも１つのＤＣＩを受信させることと、ここにおいて、
各ＤＣＩは、１つまたは複数のＣＣＥを介して伝達され、
各ＣＣＥは、固定数のＲＥＧを備え、
各ＲＥＧは、固定数のＲＥを備える、
を行うように構成される、請求項２６に記載の装置。
【請求項２８】
前記プロセッサは、
前記装置に、前記第１のｃｏｒｅｓｅｔの帯域幅に及ぶ帯域幅を使用して、前記ＤＭＲＳを受信させることによって、前記ＤＭＲＳを処理すること
を行うように構成される、請求項２２に記載の装置。